(57)【特許請求の範囲】
【請求項１】
無線ローカルエリアネットワークシステムにおいて、複数入力複数出力（ＭＩＭＯ）パケットを送信する方法であって、前記方法は、
ＭＩＭＯパケットと第１の制御情報とを生成することであって、前記ＭＩＭＯパケットは、少なくとも１つの空間ストリームセットを含む、ことと、
前記ＭＩＭＯパケットと前記第１の制御情報とを少なくとも１つの受信器に送信することと
を含み、
前記第１の制御情報は、前記ＭＩＭＯパケットが単一のユーザ（ＳＵ）−ＭＩＭＯパケットであるか複数のユーザ（ＭＵ）−ＭＩＭＯパケットであるかを示す第１のフィールドを含み、
前記第１の制御情報は、第２のフィールドを含み、前記第２のフィールドは、前記ＭＩＭＯパケットがＳＵ−ＭＩＭＯパケットである場合に、前記ＭＩＭＯパケットのために使用される変調およびコーディング方式（ＭＣＳ）を示し、前記ＭＩＭＯパケットがＭＵ−ＭＩＭＯパケットである場合に、前記少なくとも１つの空間ストリームセットの各々に適用されるエンコーディング方式を示す、方法。
【請求項２】
前記エンコーディング方式は、二進コンボルーションコーディング（ＢＣＣ）エンコーディング方式と、低密度パリティーチェック（ＬＤＰＣ）エンコーディング方式とのうちの少なくとも１つを含む、請求項１に記載の方法。
【請求項３】
前記方法は、
第３のフィールドを含む第２の制御情報を送信することであって、前記第３のフィールドは、前記ＭＩＭＯパケットがＭＵ−ＭＩＭＯパケットである場合に、前記少なくとも１つの空間ストリームセットの各々のために使用されるＭＣＳを示す、こと、そして／または、
送信器と前記少なくとも１つの受信器との間のＭＩＭＯチャネルを推定するために使用されるトレーニングシーケンスを送信すること
をさらに含み、
前記トレーニングシーケンスは、前記第１の制御情報と前記第２の制御情報との間に送信される、請求項１または２に記載の方法。
【請求項４】
前記第１の制御情報は、前記少なくとも１つの空間ストリームセットの各々に含まれる空間ストリームの数を示す第４のフィールドをさらに含む、請求項１に記載の方法。
【請求項５】
無線ローカルエリアネットワークシステムにおいて、複数入力複数出力（ＭＩＭＯ）パケットを送信するように構成されている装置であって、前記装置は、
送信器と、
前記送信器に作用可能に接続されているプロセッサと
を含み、
前記プロセッサは、
ＭＩＭＯパケットと第１の制御情報とを生成することであって、前記ＭＩＭＯパケットは、少なくとも１つの空間ストリームセットを含む、ことと、
前記ＭＩＭＯパケットと前記第１の制御情報とを少なくとも１つの受信器に送信するように前記送信器に命令することと
を行うように構成されており、
前記第１の制御情報は、前記ＭＩＭＯパケットが単一のユーザ（ＳＵ）−ＭＩＭＯパケットであるか複数のユーザ（ＭＵ）−ＭＩＭＯパケットであるかを示す第１のフィールドを含み、
前記第１の制御情報は、第２のフィールドを含み、前記第２のフィールドは、前記ＭＩＭＯパケットがＳＵ−ＭＩＭＯパケットである場合に、前記ＭＩＭＯパケットのために使用される変調およびコーディング方式（ＭＣＳ）を示し、前記ＭＩＭＯパケットがＭＵ−ＭＩＭＯパケットである場合に、前記少なくとも１つの空間ストリームセットの各々に適用されるエンコーディング方式を示す、装置。
【請求項６】
前記エンコーディング方式は、二進コンボルーションコーディング（ＢＣＣ）エンコーディング方式と、低密度パリティーチェック（ＬＤＰＣ）エンコーディング方式とのうちの少なくとも１つを含む、請求項５に記載の装置。
【請求項７】
前記プロセッサは、
第３のフィールドを含む第２の制御情報を送信するように前記送信器に命令することであって、前記第３のフィールドは、前記ＭＩＭＯパケットがＭＵ−ＭＩＭＯパケットである場合に、前記少なくとも１つの空間ストリームセットの各々のために使用されるＭＣＳを示す、こと、そして／または、
前記送信器と前記少なくとも１つの受信器との間のＭＩＭＯチャネルを推定するために使用されるトレーニングシーケンスを送信するように前記送信器に命令すること
を行うようにさらに構成されており、
前記トレーニングシーケンスは、前記第１の制御情報と前記第２の制御情報との間に送信される、請求項５または６に記載の装置。
【請求項８】
前記第１の制御情報は、前記少なくとも１つの空間ストリームセットの各々に含まれる空間ストリームの数を示す第４のフィールドをさらに含む、請求項５〜７のいずれかに記載の装置。
【請求項９】
無線ローカルエリアネットワークシステムにおいて、複数入力複数出力（ＭＩＭＯ）パケットを受信する方法であって、前記方法は、
送信器からＭＩＭＯパケットと第１の制御情報とを受信することを含み、前記ＭＩＭＯパケットは、少なくとも１つの空間ストリームセットを含み、
前記第１の制御情報は、前記ＭＩＭＯパケットが単一のユーザ（ＳＵ）−ＭＩＭＯパケットであるか複数のユーザ（ＭＵ）−ＭＩＭＯパケットであるかを示す第１のフィールドを含み、
前記第１の制御情報は、第２のフィールドを含み、前記第２のフィールドは、前記ＭＩＭＯパケットがＳＵ−ＭＩＭＯパケットである場合に、前記ＭＩＭＯパケットのために使用される変調およびコーディング方式（ＭＣＳ）を示し、前記ＭＩＭＯパケットがＭＵ−ＭＩＭＯパケットである場合に、前記少なくとも１つの空間ストリームセットの各々に適用されるエンコーディング方式を示す、方法。
【請求項１０】
前記エンコーディング方式は、二進コンボルーションコーディング（ＢＣＣ）エンコーディング方式と、低密度パリティーチェック（ＬＤＰＣ）エンコーディング方式とのうちの少なくとも１つを含む、請求項９に記載の方法。
【請求項１１】
前記方法は、
第３のフィールドを含む第２の制御情報を受信することであって、前記第３のフィールドは、前記ＭＩＭＯパケットがＭＵ−ＭＩＭＯパケットである場合に、前記少なくとも１つの空間ストリームセットの各々のために使用されるＭＣＳを示す、こと、そして／または、
前記送信器と受信器との間のＭＩＭＯチャネルを推定するために使用されるトレーニングシーケンスを受信すること
をさらに含み、
前記トレーニングシーケンスは、前記第１の制御情報と前記第２の制御情報との間に受信される、請求項９または１０に記載の方法。
【請求項１２】
前記第１の制御情報は、前記少なくとも１つの空間ストリームセットの各々に含まれる空間ストリームの数を示す第４のフィールドをさらに含む、請求項９〜１１のいずれかに記載の方法。
【請求項１３】
無線ローカルエリアネットワークシステムにおいて、複数入力複数出力（ＭＩＭＯ）パケットを受信するように構成されている装置であって、前記装置は、
受信器と、
前記受信器に作用可能に接続されているプロセッサと
を含み、
前記受信器は、
送信器からＭＩＭＯパケットと第１の制御情報とを受信するように構成されており、前記ＭＩＭＯパケットは、少なくとも１つの空間ストリームセットを含み、
前記第１の制御情報は、前記ＭＩＭＯパケットが単一のユーザ（ＳＵ）−ＭＩＭＯパケットであるか複数のユーザ（ＭＵ）−ＭＩＭＯパケットであるかを示す第１のフィールドを含み、
前記第１の制御情報は、第２のフィールドを含み、前記第２のフィールドは、前記ＭＩＭＯパケットがＳＵ−ＭＩＭＯパケットである場合に、前記ＭＩＭＯパケットのために使用される変調およびコーディング方式（ＭＣＳ）を示し、前記ＭＩＭＯパケットがＭＵ−ＭＩＭＯパケットである場合に、前記少なくとも１つの空間ストリームセットの各々に適用されるエンコーディング方式を示す、装置。
【請求項１４】
前記第１の制御情報は、前記少なくとも１つの空間ストリームセットに含まれる空間ストリームの数を示す第４のフィールドをさらに含み、そして／または、前記エンコーディング方式は、二進コンボルーションコーディング（ＢＣＣ）エンコーディング方式と、低密度パリティーチェック（ＬＤＰＣ）エンコーディング方式とのうちの少なくとも１つを含む、請求項１３に記載の装置。
【請求項１５】
前記受信器は、
第３のフィールドを含む第２の制御情報を受信することであって、前記第３のフィールドは、前記ＭＩＭＯパケットがＭＵ−ＭＩＭＯパケットである場合に、前記少なくとも１つの空間ストリームセットの各々のために使用されるＭＣＳを示す、こと、そして／または、
前記送信器と前記受信器との間のＭＩＭＯチャネルを推定するために使用されるトレーニングシーケンスを受信すること
を行うようにさらに構成されており、
前記トレーニングシーケンスは、前記第１の制御情報と前記第２の制御情報との間に受信される、請求項１３または１４に記載の装置。
【発明の詳細な説明】
【技術分野】
【０００１】
本発明は、無線ＬＡＮシステムに関し、より詳しくは、アクセスポイント（Ａｃｃｅｓｓ  Ｐｏｉｎｔ；ＡＰ）及びステーション（Ｓｔａｔｉｏｎ；ＳＴＡ）によるＭＩＭＯ（Ｍｕｌｔｉｐｌｅ  Ｉｎｐｕｔ  Ｍｕｌｔｉｐｌｅ  Ｏｕｔｐｕｔ）送信技法によるパケット送受信方法に関する。
【背景技術】
【０００２】
最近、情報通信技術の発展とともに多様な無線通信技術が開発されている。このうち無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤ（Ｐｏｒｔａｂｌｅ  Ｍｕｌｔｉｍｅｄｉａ  Ｐｌａｙｅｒ；ＰＭＰ）等のような携帯用端末機を用いて家庭や企業または特定サービス提供地域で無線でインターネットに接続可能するようにする技術である。
【０００３】
無線ＬＡＮで脆弱点と指摘されてきた通信速度に対する限界を克服するために比較的最近に制定された技術規格としてＩＥＥＥ８０２．１１ｎがある。ＩＥＥＥ８０２．１１ｎは、ネットワークの速度と信頼性を増加させ、無線ネットワークの運営距離を拡張することを目的にする。より具体的に、ＩＥＥＥ８０２．１１ｎではデータ処理速度が最大５４０Ｍｂｐｓ以上である高処理率（Ｈｉｇｈ  Ｔｈｒｏｕｇｈｐｕｔ；ＨＴ）をサポートし、また、送信エラーを最小化し、データ速度を最適化するために送信部と受信部の両方ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。
【０００４】
ＳＴＡは、ＷＬＡＮの普及が活性化され、これを用いたアプリケーションが多様化されることによって、最近にはＩＥＥＥ８０２．１１ｎがサポートするデータ処理速度より高い処理率をサポートするための新たなＷＬＡＮシステムに対する必要性が台頭されている。超高処理率（Ｖｅｒｙ  Ｈｉｇｈ  Ｔｈｒｏｕｇｈｐｕｔ；ＶＨＴ）をサポートする次世代無線ＬＡＮシステムは、ＩＥＥＥ８０２．１１ｎ無線ＬＡＮシステムの次のバージョンであり、ＭＡＣサービス接続ポイント（Ｓｅｒｖｉｃｅ  Ａｃｃｅｓｓ  Ｐｏｉｎｔ；ＳＡＰ）で１Ｇｂｐｓ以上のデータ処理速度をサポートするために最近に新たに提案されているＩＥＥＥ８０２．１１無線ＬＡＮシステムのうち一つである。
【０００５】
次世代無線ＬＡＮシステムは、無線チャネルを効率的に用いるために、複数のＳＴＡが同時にチャネルに接近するＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信をサポートする。ＭＵ−ＭＩＭＯ送信方式によると、ＡＰがＭＩＭＯペアリングされた一つ以上のＳＴＡに同時にパケットを送信することができる。
【０００６】
無線ＬＡＮシステムで、データエンコーディング方式としてＢＣＣ（Ｂｉｎａｒｙ  Ｃｏｎｖｏｌｕｔｉｏｎａｌ  Ｃｏｄｉｎｇ）技法とＬＣＰＣ（Ｌｏｗ  Ｄｅｎｓｉｔｙ  Ｐａｒｉｔｙ  Ｃｈｅｃｋ）エンコーディングが提供される。レガシ無線ＬＡＮシステムと高処理率がサポートされる無線ＬＡＮシステムでは、ＡＰとＳＴＡとの間のデータ送受信は一対一関係が形成されるため、エンコーディングされたデータのエンコーディング技法と関連した情報を送信しようとするパケットに加えると十分であった。ただし、次世代無線ＬＡＮシステムにおけるＡＰは、ＭＵ−ＭＩＭＯ送信技法を使用して複数のＳＴＡに同時にパケットを送信することができるため、各々のＳＴＡに送信されるデータシーケンスのエンコーディング技法が相違する。
【０００７】
ＡＰは、特定ＳＴＡにＳＵ−ＭＩＭＯ送信をする場合または複数のＳＴＡにＭＵ−ＭＩＭＯ送信をする状況によってシグナリングするＭＣＳが変わる。ＳＵ−ＭＩＭＯ送信の場合、特定ＳＴＡにＭＣＳインデックス（ｉｎｄｅｘ）をシグナリングするとよいが、ＭＵ−ＭＩＭＯ送信の場合、ＭＵ−ＭＩＭＯペアリングされた複数のＳＴＡの各々に対して各々ＭＣＳインデックスをシグナリングする必要がある。従って、次世代無線ＬＡＮシステムにおけるＡＰのＭＩＭＯ送信技法及び送信対象ＳＴＡの能力値を考慮したパケット送受信方法が要求される。
【発明の概要】
【発明が解決しようとする課題】
【０００８】
本発明が解決しようとする技術的課題は、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）送信技法がサポートされる無線ＬＡＮシステムにおけるＭＩＭＯパケットを送受信する方法に関することである。
【課題を解決するための手段】
【０００９】
一態様において、無線ＬＡＮシステムにおける送信者によるＭＩＭＯパケット送信方法が提供される。前記方法は、少なくとも一つ以上の受信者の各々に送信される少なくとも一つ以上の空間ストリーム（ｓｐａｔｉａｌ  ｓｔｒｅａｍ）セットを含むＭＩＭＯ（Ｍｕｌｔｉｐｌｅ  Ｉｎｐｕｔ  Ｍｕｌｔｉｐｌｅ  Ｏｕｔｐｕｔ）パケット（ｐａｃｋｅｔ）を生成し、空間ストリームセットの各々は、二つのエンコーディング技法のうち一つに基づいてエンコーディングされ、ＭＩＭＯ指示子及び第１のＭＣＳ（ｍｏｄｕｌａｔｉｏｎ  ａｎｄ  ｃｏｄｉｎｇ  ｓｃｈｅｍｅ）フィールドを含む第１の制御情報を送信し、前記ＭＩＭＯ指示子は、前記ＭＩＭＯパケットがＳＵ（ｓｉｇｎｌｅ  ｕｓｅｒ）−ＭＩＭＯのためのものであるか、またはＭＵ（ｍｕｌｔｉ  ｕｓｅｒ）−ＭＩＭＯのためのものであるかを指示し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記空間ストリームセットの各々に対して適用されたエンコーディング技法を指示し、及び、前記ＭＩＭＯパケットを少なくとも一つ以上の受信者に送信することを含む。前記二つのエンコーディング技法の各々は、ＬＤＰＣ（ｌｏｗ  ｄｅｎｓｉｔｙ  ｐａｒｉｔｙ  ｃｈｅｃｋ）エンコーディング、ＢＣＣ（ｂｉｎａｒｙ  ｃｏｎｖｏｌｕｔｉｏｎ  ｃｏｄｉｎｇ）エンコーディングであることを特徴とする。
【００１０】
前記ＭＩＭＯパケットがＭＵ−ＭＩＭＯ送信のためのものである場合、前記ＭＩＭＯ指示子は、前記少なくとも一つ以上の受信者を含む受信者グループを指示することによってＭＵ−ＭＩＭＯ送信であることを指示する。
【００１１】
第２のＭＣＳフィールドを含む第２の制御情報を送信することをさらに含み、前記第２のＭＣＳフィールドは、前記ＭＩＭＯパケットがＭＵ−ＭＩＭＯ送信のためのものである場合、前記少なくとも一つ以上の空間ストリームセットの各々に使われたＭＣＳを指示する。
【００１２】
前記第１の制御情報を送信した後、前記第２の制御情報の送信前に前記送信者と前記少なくとも一つ以上の受信者との間のＭＩＭＯチャネル（ｃｈａｎｎｅｌ）を推定するために使われるトレーニングシーケンス（ｔｒａｉｎｉｎｇ  ｓｅｑｕｅｎｃｅ）を送信することをさらに含む。
【００１３】
前記第１の制御情報は、前記少なくとも一つ以上の空間ストリームセットの各々に含まれた空間ストリーム個数を指示する空間ストリーム個数（ｔｈｅ  ｎｕｍｂｅｒ  ｏｆ  ｓｐａｔｉａｌ  ｓｔｒｅａｍ）サブフィールドをさらに含む。
【００１４】
他の一態様において、無線装置が提供される。前記無線装置は、ＭＩＭＯパケットを受信または送信するトランシーバ（ｔｒａｎｓｃｅｉｖｅｒ）及び前記トランシーバと機能的に結合して動作するプロセッサ（ｐｒｏｃｅｓｓｏｒ）を含む。前記プロセッサは、少なくとも一つ以上の受信者の各々に送信される少なくとも一つ以上の空間ストリーム（ｓｐａｔｉａｌ  ｓｔｒｅａｍ）セットを含むＭＩＭＯ（Ｍｕｌｔｉｐｌｅ  Ｉｎｐｕｔ  Ｍｕｌｔｉｐｌｅ  Ｏｕｔｐｕｔ）パケット（ｐａｃｋｅｔ）を生成し、空間ストリームセットの各々は、二つのエンコーディング技法のうち一つに基づいてエンコーディングされ、ＭＩＭＯ指示子及び第１のＭＣＳ（ｍｏｄｕｌａｔｉｏｎ  ａｎｄ  ｃｏｄｉｎｇ  ｓｃｈｅｍｅ）フィールドを含む第１の制御情報を送信し、前記ＭＩＭＯ指示子は、前記ＭＩＭＯパケットがＳＵ（ｓｉｇｎｌｅ  ｕｓｅｒ）−ＭＩＭＯのためのものであるか、またはＭＵ（ｍｕｌｔｉ  ｕｓｅｒ）−ＭＩＭＯのためのものであるかを指示し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記空間ストリームセットの各々に対して適用されたエンコーディング技法を指示し、及び前記ＭＩＭＯパケットを少なくとも一つ以上の受信者に送信することを含む。前記二つのエンコーディング技法の各々は、ＬＤＰＣ（ｌｏｗ  ｄｅｎｓｉｔｙ  ｐａｒｉｔｙ  ｃｈｅｃｋ）エンコーディング、ＢＣＣ（ｂｉｎａｒｙ  ｃｏｎｖｏｌｕｔｉｏｎ  ｃｏｄｉｎｇ）エンコーディングであることを特徴とする。
【００１５】
なお、他の一態様において、無線ＬＡＮシステムにおける受信者によるＭＩＭＯパケットデコーディング方法が提供される。前記方法は、少なくとも一つ以上の受信者に送信される少なくとも一つ以上の空間ストリームセットを含むＭＩＭＯパケットがＭＵ−ＭＩＭＯ送信のためのものであるか、またはＳＵ−ＭＩＭＯのためのものであるかを指示するＭＩＭＯ指示子を受信し、前記ＭＩＭＯパケットがＭＵ−ＭＩＭＯ送信のためのものである場合、前記ＭＩＭＯ指示子は、前記ＭＩＭＯパケットの受信者グループを指示することによってＭＵ−ＭＩＭＯ送信であることを指示し、コーディング（ｃｏｄｉｎｇ）フィールドを受信し、前記コーディングフィールドは、前記少なくとも一つの空間ストリームセットのうち第１の空間ストリームセットに適用されたエンコーディング技法を指示し、第１のＭＣＳフィールドを受信し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記少なくとも一つ以上の空間ストリームセットのうち前記第１の空間ストリームセットを除いた残りに各々適用されたエンコーディング技法を指示し、及び前記ＭＩＭＯパケットを受信することを含む。前記ＭＩＭＯパケットがＭＵ−ＭＩＭＯのためのものである場合、前記受信者が前記受信者グループのメンバ（ｍｅｍｂｅｒ）であるかを確認し、前記受信者グループのメンバである場合、前記コーディングフィールド及び前記第１のＭＣＳフィールドが指示するエンコーディング技法のうち前記受信者の空間ストリームセットに適用されたエンコーディング方式によって前記ＭＩＭＯパケットをデコーディングすることをさらに含む。
【００１６】
前記ＭＩＭＯパケットがＳＵ−ＭＩＭＯのためのものである場合、前記コーディングフィールドが指示する前記エンコーディング技法によって前記ＭＩＭＯパケットをデコーディングする。
本発明は、例えば以下の項目を提供する。
（項目１）
無線ＬＡＮシステムにおける送信者によるＭＩＭＯパケット送信方法において、
少なくとも一つ以上の受信者の各々に送信される少なくとも一つ以上の空間ストリーム（ｓｐａｔｉａｌ  ｓｔｒｅａｍ）セットを含むＭＩＭＯ（Ｍｕｌｔｉｐｌｅ  Ｉｎｐｕｔ  Ｍｕｌｔｉｐｌｅ  Ｏｕｔｐｕｔ）パケット（ｐａｃｋｅｔ）を生成し、空間ストリームセットの各々は、二つのエンコーディング技法のうち一つに基づいてエンコーディングされ、
ＭＩＭＯ指示子及び第１のＭＣＳ（ｍｏｄｕｌａｔｉｏｎ  ａｎｄ  ｃｏｄｉｎｇ  ｓｃｈｅｍｅ）フィールドを含む第１の制御情報を送信し、前記ＭＩＭＯ指示子は、前記ＭＩＭＯパケットがＳＵ（ｓｉｇｎｌｅ  ｕｓｅｒ）−ＭＩＭＯのためのものであるか、またはＭＵ（ｍｕｌｔｉ  ｕｓｅｒ）−ＭＩＭＯのためのものであるかを指示し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記空間ストリームセットの各々に対して適用されたエンコーディング技法を指示し、及び、
前記ＭＩＭＯパケットを少なくとも一つ以上の受信者に送信することを含み、
前記二つのエンコーディング技法の各々は、ＬＤＰＣ（ｌｏｗ  ｄｅｎｓｉｔｙ  ｐａｒｉｔｙ  ｃｈｅｃｋ）エンコーディング、ＢＣＣ（ｂｉｎａｒｙ  ｃｏｎｖｏｌｕｔｉｏｎ  ｃｏｄｉｎｇ）エンコーディングであることを特徴とするＭＩＭＯパケット送信方法。
（項目２）
前記ＭＩＭＯパケットがＭＵ−ＭＩＭＯ送信のためのものである場合、前記ＭＩＭＯ指示子は、前記少なくとも一つ以上の受信者を含む受信者グループを指示することによってＭＵ−ＭＩＭＯ送信であることを指示することを特徴とする項目１に記載のＭＩＭＯパケット送信方法。
（項目３）
第２のＭＣＳフィールドを含む第２の制御情報を送信することをさらに含み、前記第２のＭＣＳフィールドは、前記ＭＩＭＯパケットがＭＵ−ＭＩＭＯ送信のためのものである場合、前記少なくとも一つ以上の空間ストリームセットの各々に使われたＭＣＳを指示することを特徴とする項目２に記載のＭＩＭＯパケット送信方法。
（項目４）
前記第１の制御情報を送信した後、前記第２の制御情報の送信前に前記送信者と前記少なくとも一つ以上の受信者との間のＭＩＭＯチャネル（ｃｈａｎｎｅｌ）を推定するために使われるトレーニングシーケンス（ｔｒａｉｎｉｎｇ  ｓｅｑｕｅｎｃｅ）を送信することをさらに含む項目３に記載のＭＩＭＯパケット送信方法。
（項目５）
前記第１の制御情報は、前記少なくとも一つ以上の空間ストリームセットの各々に含まれた空間ストリーム個数を指示する空間ストリーム個数（ｔｈｅ  ｎｕｍｂｅｒ  ｏｆ  ｓｐａｔｉａｌ  ｓｔｒｅａｍ）サブフィールドをさらに含むことを特徴とする項目１に記載のＭＩＭＯパケット送信方法。
（項目６）
ＭＩＭＯパケットを受信または送信するトランシーバ（ｔｒａｎｓｃｅｉｖｅｒ）；及び、
前記トランシーバと機能的に結合して動作するプロセッサ（ｐｒｏｃｅｓｓｏｒ）；を含み、
前記プロセッサは、
少なくとも一つ以上の受信者の各々に送信される少なくとも一つ以上の空間ストリーム（ｓｐａｔｉａｌ  ｓｔｒｅａｍ）セットを含むＭＩＭＯ（Ｍｕｌｔｉｐｌｅ  Ｉｎｐｕｔ  Ｍｕｌｔｉｐｌｅ  Ｏｕｔｐｕｔ）パケット（ｐａｃｋｅｔ）を生成し、空間ストリームセットの各々は、二つのエンコーディング技法のうち一つに基づいてエンコーディングされ、
ＭＩＭＯ指示子及び第１のＭＣＳ（ｍｏｄｕｌａｔｉｏｎ  ａｎｄ  ｃｏｄｉｎｇ  ｓｃｈｅｍｅ）フィールドを含む第１の制御情報を送信し、前記ＭＩＭＯ指示子は、前記ＭＩＭＯパケットがＳＵ（ｓｉｇｎｌｅ  ｕｓｅｒ）−ＭＩＭＯのためのものであるか、またはＭＵ（ｍｕｌｔｉ  ｕｓｅｒ）−ＭＩＭＯのためのものであるかを指示し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記空間ストリームセットの各々に対して適用されたエンコーディング技法を指示し、及び、
前記ＭＩＭＯパケットを少なくとも一つ以上の受信者に送信することを含み、
前記二つのエンコーディング技法の各々は、ＬＤＰＣ（ｌｏｗ  ｄｅｎｓｉｔｙ  ｐａｒｉｔｙ  ｃｈｅｃｋ）エンコーディング、ＢＣＣ（ｂｉｎａｒｙ  ｃｏｎｖｏｌｕｔｉｏｎ  ｃｏｄｉｎｇ）エンコーディングであることを特徴とする無線装置。
（項目７）
無線ＬＡＮシステムにおける受信者によるＭＩＭＯパケットデコーディング方法において、
少なくとも一つ以上の受信者に送信される少なくとも一つ以上の空間ストリームセットを含むＭＩＭＯパケットがＭＵ−ＭＩＭＯ送信のためのものであるか、またはＳＵ−ＭＩＭＯのためのものであるかを指示するＭＩＭＯ指示子を受信し、前記ＭＩＭＯパケットがＭＵ−ＭＩＭＯ送信のためのものである場合、前記ＭＩＭＯ指示子は、前記ＭＩＭＯパケットの受信者グループを指示することによってＭＵ−ＭＩＭＯ送信であることを指示し、
コーディング（ｃｏｄｉｎｇ）フィールドを受信し、前記コーディングフィールドは、前記少なくとも一つの空間ストリームセットのうち第１の空間ストリームセットに適用されたエンコーディング技法を指示し、
第１のＭＣＳフィールドを受信し、前記第１のＭＣＳフィールドは、前記ＭＩＭＯパケットがＳＵ−ＭＩＭＯ送信のためのものである場合、前記ＭＩＭＯパケットのために使われたＭＣＳを指示し、前記ＭＩＭＯパケットがＭＵ−ＭＩＭＯ送信のためのものである場合、前記少なくとも一つ以上の空間ストリームセットのうち前記第１の空間ストリームセットを除いた残りに各々適用されたエンコーディング技法を指示し、及び、
前記ＭＩＭＯパケットを受信することを含み、
前記ＭＩＭＯパケットがＭＵ−ＭＩＭＯのためのものである場合、前記受信者が前記受信者グループのメンバ（ｍｅｍｂｅｒ）であるかを確認し、前記受信者グループのメンバである場合、前記コーディングフィールド及び前記第１のＭＣＳフィールドが指示するエンコーディング技法のうち前記受信者の空間ストリームセットに適用されたエンコーディング方式によって前記ＭＩＭＯパケットをデコーディングすることをさらに含むＭＩＭＯパケットデコーディング方法。
（項目８）
前記ＭＩＭＯパケットがＳＵ−ＭＩＭＯのためのものである場合、前記コーディングフィールドが指示する前記エンコーディング技法によって前記ＭＩＭＯパケットをデコーディングすることを特徴とする項目７に記載のＭＩＭＯパケットデコーディング方法。
【発明の効果】
【００１７】
ＰＰＤＵ（ｐｈｙｓｉｃａｌ  ｌａｙｅｒ  ｃｏｎｖｅｒｇｅｎｃｅ  ｐｒｏｃｅｄｕｒｅ（ＰＬＣＰ）ｐｒｏｔｏｃｏｌ  ｄａｔａ  ｕｎｉｔ）送受信において、ＰＰＤＵに含まれた制御情報を解釈して送信方式を確認することができる。受信ステーション（ｓｔａｔｉｏｎ；ＳＴＡ）は、送信方式によって追加に提供される制御情報を異なるように解釈することができ、サポートされるエンコーディング（ｅｎｃｏｄｉｎｇ）方式及びＭＣＳ（ｍｏｄｕｌａｔｉｏｎ  ａｎｄ  ｃｏｄｉｎｇ  ｓｃｈｅｍｅ）によってデコーディング及び復調（ｄｅｍｏｄｕｌｔａｔｉｏｎ）してデータを獲得することができる。
【００１８】
ＰＰＤＵを送信するアクセスポイントは、ＭＵ−ＭＩＭＯペアリングされた（ｐａｉｒｅｄ）複数のＳＴＡが互いにサポートするエンコーディング方式などサポート能力値（ｓｕｐｐｏｒｔｅｄ  ｃａｐａｂｉｌｉｔｉｅｓ）が異なる場合、ＰＰＤＵ送信方式によって異なるように解釈可能な制御情報をＳＴＡに提供して多様な種類のＳＴＡにサービスを提供することができる。これは無線ＬＡＮシステムの互換性を向上させることができる。
【図面の簡単な説明】
【００１９】
【図１】本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【図２】ＩＥＥＥ８０２．１１によりサポートされる無線ＬＡＮシステムの物理階層アーキテクチャを示す。
【図３】本発明の実施例に適用されることができるＰＰＤＵフォーマットを示す。
【図４】本発明の実施例に係るＰＰＤＵ送受信方法の一例を示す流れ図である。
【図５】本発明の実施例に係るＭＵ−ＭＩＭＯ送信技法によるＰＰＤＵ送信方法を示す流れ図である。
【図６】本発明の実施例に係るＳＵ−ＭＩＭＯ送信技法によるＰＰＤＵ送信方法を示す流れ図である。
【図７】本発明の実施例が適用されることができる無線装置を示すブロック図である。
【発明を実施するための形態】
【００２０】
図１は、本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【００２１】
図１を参照すると、ＷＬＡＮシステムは、一つまたはその以上の基本サービスセット（Ｂａｓｉｃ  Ｓｅｒｖｉｃｅ  Ｓｅｔ；ＢＳＳ）を含む。ＢＳＳは、成功的に同期化を行って互いに通信することができるステーション（Ｓｔａｔｉｏｎ；ＳＴＡ）の集合であり、特定領域を意味するものではない。
【００２２】
インフラストラクチャ（ｉｎｆｒａｓｔｒｕｃｔｕｒｅ）ＢＳＳは、一つまたはその以上の非ＡＰステーション（ｎｏｎ−ＡＰ  ＳＴＡ１、ｎｏｎ−ＡＰ  ＳＴＡ２、ｎｏｎ−ＡＰ  ＳＴＡ３、ｎｏｎ−ＡＰ  ＳＴＡ４、ｎｏｎ−ＡＰ  ＳＴＡ５）、分散サービス（Ｄｉｓｔｒｉｂｕｔｉｏｎ  Ｓｅｒｖｉｃｅ）を提供するＡＰ（Ａｃｃｅｓｓ  Ｐｏｉｎｔ）、及び複数のＡＰを連結させる分散システム（Ｄｉｓｔｒｉｂｕｔｉｏｎ  Ｓｙｓｔｅｍ；ＤＳ）を含む。インフラストラクチャＢＳＳではＡＰがＢＳＳの非ＡＰ  ＳＴＡを管理する。
【００２３】
反面、独立ＢＳＳ（Ｉｎｄｅｐｅｎｄｅｎｔ  ＢＳＳ；ＩＢＳＳ）は、アドホック（Ａｄ−Ｈｏｃ）モードに動作するＢＳＳである。ＩＢＳＳは、ＡＰを含まないため、中央で管理機能を遂行するエンティティ（Ｃｅｎｔｒａｌｉｚｅｄ  Ｍａｎａｇｅｍｅｎｔ  Ｅｎｔｉｔｙ）がない。即ち、ＩＢＳＳでは非ＡＰ  ＳＴＡが分散された方式（ｄｉｓｔｒｉｂｕｔｅｄ  ｍａｎｎｅｒ）に管理される。ＩＢＳＳでは全てのＳＴＡが移動ＳＴＡからなることができ、ＤＳへの接続が許容されなくて自己完備的ネットワーク（ｓｅｌｆ−ｃｏｎｔａｉｎｅｄ  ｎｅｔｗｏｒｋ）を構築する。
【００２４】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に基づく媒体接続制御（Ｍｅｄｉｕｍ  Ａｃｃｅｓｓ  Ｃｏｎｔｒｏｌ；ＭＡＣ）と無線媒体に対する物理層（Ｐｈｙｓｉｃａｌ  Ｌａｙｅｒ）インターフェースを含む任意の機能媒体であり、広義ではＡＰと非ＡＰステーション（Ｎｏｎ−ＡＰ  Ｓｔａｔｉｏｎ）の両方ともを含む。
【００２５】
非ＡＰ  ＳＴＡは、ＡＰでないＳＴＡであり、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動スクライバユニット（Ｍｏｂｉｌｅ  Ｓｕｂｓｃｒｉｂｅｒ  Ｕｎｉｔ）または単にユーザなど、他の名称と呼ばれることもある。以下、説明の便宜のために、非ＡＰ  ＳＴＡをＳＴＡという。
【００２６】
ＡＰは、該当ＡＰに結合された（Ａｓｓｏｃｉａｔｅｄ）ＳＴＡのために、無線媒体を経由してＤＳに対する接続を提供する機能エンティティである。ＡＰを含むインフラストラクチャＢＳＳでＳＴＡ間の通信はＡＰを経由して行われることが原則であるが、ダイレクトリンクが設定された場合にはＳＴＡ間でも直接通信が可能である。ＡＰは、集中制御器（ｃｅｎｔｒａｌ  ｃｏｎｔｒｏｌｌｅｒ）、基地局（Ｂａｓｅ  Ｓｔａｔｉｏｎ；ＢＳ）、ノードＢ、ＢＴＳ（Ｂａｓｅ  Ｔｒａｎｓｃｅｉｖｅｒ  Ｓｙｓｔｅｍ）、またはサイト制御器などと呼ばれることもある。
【００２７】
図１に示すＢＳＳを含む複数のインフラストラクチャＢＳＳは、分散システム（Ｄｉｓｔｒｉｂｕｔｉｏｎ  Ｓｙｓｔｅｍ；ＤＳ）を介して相互連結されることができる。ＤＳを介して連結された複数のＢＳＳを拡張サービスセット（Ｅｘｔｅｎｄｅｄ  Ｓｅｒｖｉｃｅ  Ｓｅｔ；ＥＳＳ）という。ＥＳＳに含まれるＡＰ及び／またはＳＴＡは互いに通信することができ、同じＥＳＳにおけるＳＴＡはシームレス通信しつつ一つのＢＳＳから他のＢＳＳに移動することができる。
【００２８】
ＩＥＥＥ８０２．１１による無線ＬＡＮシステムで、ＭＡＣ（Ｍｅｄｉｕｍ  Ａｃｃｅｓｓ  Ｃｏｎｔｒｏｌ）の基本接続メカニズムは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムである。ＣＳＭＡ／ＣＡメカニズムは、ＩＥＥＥ８０２．１１ＭＡＣの分配調整機能（Ｄｉｓｔｒｉｂｕｔｅｄ  Ｃｏｏｒｄｉｎａｔｉｏｎ  Ｆｕｎｃｔｉｏｎ；ＤＣＦ）と呼ばれることもあり、基本的に“ｌｉｓｔｅｎ  ｂｅｆｏｒｅ  ｔａｌｋ”接続メカニズムを採用している。このような類型の接続メカニズムによると、ＡＰ及び／またはＳＴＡは送信の開始前に無線チャネルまたは媒体（ｍｅｄｉｕｍ）をセンシング（ｓｅｎｓｉｎｇ）する。センシング結果、もし、媒体が休止状態（ｉｄｌｅ  ｓｔａｔｕｓ）であると判断されると、該当媒体を介してパケット送信を始める。反面、媒体が占有状態（ｏｃｃｕｐｉｅｄ  ｓｔａｔｕｓ）であると感知されると、該当ＡＰ及び／またはＳＴＡは自体の送信を始めないで媒体接近のための遅延期間を設定して待つ。
【００２９】
ＣＳＭＡ／ＣＡメカニズムは、ＡＰ及び／またはＳＴＡが媒体を直接センシングする物理的キャリアセンシング（ｐｈｙｓｉｃａｌ  ｃａｒｒｉｅｒ  ｓｅｎｓｉｎｇ）外に仮想キャリアセンシング（ｖｉｒｔｕａｌ  ｃａｒｒｉｅｒ  ｓｅｎｓｉｎｇ）も含む。仮想キャリアセンシングは、ヒドンノード問題（ｈｉｄｄｅｎ  ｎｏｄｅ  ｐｒｏｂｌｅｍ）などのように媒体接近上発生のおそれのある問題を補完するためものである。仮想キャリアセンシングのために、無線ＬＡＮシステムのＭＡＣは、ネットワーク割当ベクトル（Ｎｅｔｗｏｒｋ  Ａｌｌｏｃａｔｉｏｎ  Ｖｅｃｔｏｒ；ＮＡＶ）を用いる。ＮＡＶは、現在媒体を使用していたり、或いは使用する権限のあるＡＰ及び／またはＳＴＡが、媒体が利用可能な状態になるまで残っている時間を他のＡＰ及び／またはＳＴＡに指示する値である。従って、ＮＡＶに設定された値は、該当パケットを送信するＡＰ及び／またはＳＴＡにより媒体の使用が予定されている期間に該当する。
【００３０】
ＤＣＦと共に、ＩＥＥＥ８０２．１１ＭＡＣプロトコルは、ＤＣＦとポーリング（ｐｏｌｌｉｎｇ）ベースの同期式接続方式に全ての受信ＡＰ及び／またはＳＴＡがデータパケットを受信することができるように周期的にポーリングするＰＣＦ（Ｐｏｉｎｔ  Ｃｏｏｒｄｉｎａｔｉｏｎ  Ｆｕｎｃｔｉｏｎ）に基づくＨＣＦ（Ｈｙｂｒｉｄ  Ｃｏｏｒｄｉｎａｔｉｏｎ  Ｆｕｎｃｔｉｏｎ）を提供する。ＨＣＦは、提供者が複数のユーザにデータパケットを提供するための接続方式をコンテンションベースのＥＤＣＡ（Ｅｎｈａｎｃｅｄ  Ｄｉｓｔｒｉｂｕｔｅｄ  Ｃｈａｎｎｅｌ  Ａｃｃｅｓｓ）とポーリング（ｐｏｌｌｉｎｇ）メカニズムを用いた非コンテンションベースのチャネル接近方式を使用するＨＣＣＡ（ＨＣＦ  Ｃｏｎｔｒｏｌｌｅｄ  Ｃｈａｎｎｅｌ  Ａｃｃｅｓｓ）を有する。ＨＣＦは、ＷＬＡＮのＱｏＳ（Ｑｕａｌｉｔｙ  ｏｆ  Ｓｅｒｖｉｃｅ）を向上させるための媒体接近メカニズムを含み、コンテンション周期（Ｃｏｎｔｅｎｔｉｏｎ  Ｐｅｒｉｏｄ；ＣＰ）と非コンテンション周期（Ｃｏｎｔｅｎｔｉｏｎ  Ｆｒｅｅ  Ｐｅｒｉｏｄ；ＣＦＰ）の両方ともでＱｏＳデータを送信することができる。
【００３１】
図２は、ＩＥＥＥ８０２．１１によりサポートされる無線ＬＡＮシステムの物理階層アーキテクチャを示す。
【００３２】
ＩＥＥＥ８０２．１１の物理階層アーキテクチャ（ＰＨＹ  ａｒｃｈｉｔｅｃｔｕｒｅ）は、ＰＬＭＥ（ＰＨＹ  Ｌａｙｅｒ  Ｍａｎａｇｅｍｅｎｔ  Ｅｎｔｉｔｙ）、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）副階層２１０、ＰＭＤ（Ｐｈｙｓｉｃａｌ  Ｍｅｄｉｕｍ  Ｄｅｐｅｎｄｅｎｔ）副階層２００で構成される。ＰＬＭＥは、ＭＬＭＥ（ＭＡＣ  Ｌａｙｅｒ  Ｍａｎａｇｅｍｅｎｔ  Ｅｎｔｉｔｙ）と協調して物理階層の管理機能を提供する。ＰＬＣＰ副階層２１０は、ＭＡＣ副階層２２０とＰＭＤ副階層２００との間でＭＡＣ階層の指示によってＭＡＣ副階層２２０から受けたＭＰＤＵ（ＭＡＣ  Ｐｒｏｔｏｃｏｌ  Ｄａｔａ  Ｕｎｉｔ）を副階層に伝達したり、或いはＰＭＤ副階層２００からくるフレームをＭＡＣ副階層２２０に伝達する。ＰＭＤ副階層２００は、ＰＬＣＰの下位階層であり、無線媒体を介する二つのステーション間物理階層エンティティ（ｅｎｔｉｔｙ）の送受信が可能にする。ＭＡＣ副階層２２０が伝達したＭＰＤＵは、ＰＬＣＰ副階層２１０でＰＳＤＵ（Ｐｈｙｓｉｃａｌ  Ｓｅｒｖｉｃｅ  Ｄａｔａ  Ｕｎｉｔ）と呼ぶ。ＭＰＤＵは、ＰＳＤＵと類似するが、複数のＭＰＤＵをアグリゲーション（ａｇｇｒｅｇａｔｉｏｎ）したＡ−ＭＰＤＵ（ａｇｇｒｅｇａｔｅｄ  ＭＰＤＵ）が伝達された場合には個々のＭＰＤＵとＰＳＤＵは互いに相違する。
【００３３】
ＰＬＣＰ副階層２１０は、ＰＳＤＵをＭＡＣ副階層２２０から受けてＰＭＤ副階層２００に伝達する過程で物理階層送受信機により必要な情報を含む付加フィールドを加える。この時、付加されるフィールドは。ＰＳＤＵにＰＬＣＰプリアンブル（ｐｒｅａｍｂｌｅ）、ＰＬＣＰヘッダ（ｈｅａｄｅｒ）、コンボリューションエンコーダをゼロ状態（ｚｅｒｏ  ｓｔａｔｅ）に返すのに必要なテールビット（Ｔａｉｌ  Ｂｉｔｓ）などになる。ＰＬＣＰプリアンブルは、ＰＳＤＵの送信前に受信機に同期化機能とアンテナダイバーシティを準備するようにする役割をする。データフィールドは、ＰＳＤＵにパディングビット、スクランブラを初期化するためのビットシーケンスを含むサービスフィールド及びテールビットが加えたビットシーケンスがエンコーディングされたコード化シーケンス（ｃｏｄｅｄ  ｓｅｑｕｅｎｃｅ）を含むことができる。この時、エンコーディング方式は、ＰＰＤＵを受信するＳＴＡでサポートされるエンコーディング方式によってＢＣＣ（Ｂｉｎａｒｙ  Ｃｏｎｖｏｌｕｔｉｏｎａｌ  Ｃｏｄｉｎｇ）エンコーディングまたはＬＤＰＣ（Ｌｏｗ  Ｄｅｎｓｉｔｙ  Ｐａｒｉｔｙ  Ｃｈｅｃｋ）エンコーディングのうち一つで選択されることができる。ＰＬＣＰヘッダには送信するＰＰＤＵ（ＰＬＣＰ  Ｐｒｏｔｏｃｏｌ  Ｄａｔａ  Ｕｎｉｔ）に対する情報を含むフィールドが含まれ、これは図３を参照してより具体的に説明する。
【００３４】
ＰＬＣＰ副階層２１０ではＰＳＤＵに詳述したフィールドを付加してＰＰＤＵ（ＰＬＣＰ  Ｐｒｏｔｏｃｏｌ  Ｄａｔａ  Ｕｎｉｔ）を生成し、ＰＭＤ副階層を経て受信ステーションに送信し、受信ステーションはＰＰＤＵを受信してＰＬＣＰプリアンブル、ＰＬＣＰヘッダからデータ復元に必要な情報を得て復元する。
【００３５】
既存無線ＬＡＮシステムと違って次世代無線ＬＡＮシステムではより高い処理率を要求する。これをＶＨＴ（Ｖｅｒｙ  Ｈｉｇｈ  Ｔｈｒｏｕｇｈｐｕｔ）といい、このために、次世代無線ＬＡＮシステムでは８０ＭＨｚ、連続的な１６０ＭＨｚ（ｃｏｎｔｉｇｕｏｕｓ  １６０ＭＨｚ）、不連続的な１６０ＭＨｚ（ｎｏｎ−ｃｏｎｔｉｇｕｏｕｓ  １６０ＭＨｚ）帯域幅送信及び／またはその以上の帯域幅送信をサポートしようとする。また、より高い処理率のためにＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）送信方法を提供する。次世代無線ＬＡＮシステムにおけるＡＰは、ＭＵ−ＭＩＭＯペアリングされた少なくとも一つ以上のＳＴＡに同時にデータパケットを送信することができる。
【００３６】
また、図１を参照すると、図面のような無線ＬＡＮシステムにおけるＡＰ１０は、自体と結合（ａｓｓｏｃｉａｔｉｏｎ）されている複数のＳＴＡ２１、２２、２３、２４、３０のうち少なくとも一つ以上のＳＴＡを含むＳＴＡグループにデータを同時に送信することができる。この時、各々のＳＴＡに送信されるデータは互いに異なる空間ストリーム（ｓｐａｔｉａｌ  ｓｔｒｅａｍ）を介して送信されることができる。ＡＰ１０の送信するデータパケットは、無線ＬＡＮシステムの物理階層で生成されて送信されるＰＰＤＵまたはＰＰＤＵに含まれたデータフィールドであり、フレームと呼ばれることもある。ＳＵ−ＭＩＭＯ及び／またはＭＵ−ＭＩＭＯのためのＰＰＤＵに含まれたデータフィールドをＭＩＭＯパケットということができる。本発明の例示で、ＡＰ１０とＭＵ−ＭＩＭＯペアリングされた送信対象ＳＴＡグループは、ＳＴＡ１（２１）、ＳＴＡ２（２２）、ＳＴＡ３（２３）、及びＳＴＡ４（２４）と仮定する。この時、送信対象ＳＴＡグループの特定ＳＴＡには空間ストリームが割り当てられなくてデータが送信されない場合がある。一方、ＳＴＡａ３０は、ＡＰと結合されているが、送信対象ＳＴＡグループには含まれないＳＴＡと仮定する。
【００３７】
無線ＬＡＮシステムにおけるＭＵ−ＭＩＭＯ送信をサポートするために送信対象ＳＴＡグループに対して識別子が割り当てられることができ、これをグループ識別子（Ｇｒｏｕｐ  ＩＤ）という。ＡＰは、ＭＵ−ＭＩＭＯ送信をサポートするＳＴＡにグループＩＤ割当のためにグループ定義情報（ｇｒｏｕｐ  ｄｅｆｉｎｉｔｉｏｎ  ｉｎｆｏｒｍａｔｉｏｎ）を含むグループＩＤ管理フレーム（Ｇｒｏｕｐ  ＩＤ  ｍａｎａｇｅｍｅｎｔ  ｆｒａｍｅ）を送信し、これを介してグループＩＤはＰＰＤＵ送信以前にＳＴＡに割り当てられる。一つのＳＴＡは複数個のグループＩＤの割当を受けることができる。
【００３８】
下記表１はグループＩＤ管理フレームに含まれた情報要素を示す。
【００３９】
【表１】
0005400972.tif 000002
【００４０】
カテゴリフィールド及びＶＨＴアクションフィールドは、該当フレームが管理フレームに該当し、ＭＵ−ＭＩＭＯをサポートする次世代無線ＬＡＮシステムで使われるグループＩＤ管理フレームであることを識別することができるように設定される。
【００４１】
表１のように、グループ定義情報は、特定グループＩＤに属しているかどうかを指示するメンバシップ状態情報、及び該当グループＩＤに属する場合、該当ＳＴＡの空間ストリームセットがＭＵ−ＭＩＭＯ送信による全体空間ストリームで何番目の位置に該当するかを指示する空間ストリーム位置情報を含む。
【００４２】
一つのＡＰが管理するグループＩＤは、複数個であるため、一つのＳＴＡに提供されるメンバシップ状態情報はＡＰにより管理されるグループＩＤの各々にＳＴＡが属しているかどうかを指示する必要がある。従って、メンバシップ状態情報は、各グループＩＤに属しているかどうかを指示するサブフィールドのアレイ（ａｒｒａｙ）形態に存在することができる。空間ストリーム位置情報は、グループＩＤの各々に対する位置を指示するため、各グループＩＤに対してＳＴＡが占める空間ストリームセットの位置を指示するサブフィールドのアレイ形態に存在することができる。
【００４３】
ＡＰは、ＭＵ−ＭＩＭＯ送信技法を介してＰＰＤＵを複数のＳＴＡに送信する場合、ＰＰＤＵ内にグループＩＤを指示する情報を制御情報として含んで送信する。ＳＴＡがＰＰＤＵを受信すると、ＳＴＡはグループＩＤフィールドを確認して自体が送信対象ＳＴＡグループのメンバＳＴＡであるかを確認する。自体が送信対象ＳＴＡグループのメンバと確認される場合、自体に送信される空間ストリームセットが全体空間ストリームのうち何番目に位置するかを確認することができる。ＰＰＤＵは受信ＳＴＡに割り当てられた空間ストリームの個数情報を含むため、ＳＴＡは自体に割り当てられた空間ストリームを探してデータを受信することができる。
【００４４】
無線ＬＡＮシステムにおけるＳＴＡは、各々サポートする能力値が異なる。ＳＴＡは、互いに異なるチャネル帯域幅能力値を有することができ、ＭＩＭＯ送信技法がサポートされないＳＴＡ、ＳＵ（Ｓｉｎｇｌｅ  Ｕｓｅｒ）−ＭＩＭＯ送信技法がサポートされるＳＴＡ、及びＳＵ／ＭＵ−ＭＩＭＯ送信技法がサポートされるＳＴＡが存在することができる。また、ＳＴＡの種類によってサポートされるエンコーディング／デコーディング技法が異なる。無線ＬＡＮシステムにおいて、ＢＣＣ（Ｂｉｎａｒｙ  Ｃｏｎｖｏｌｕｔｉｏｎ  Ｃｏｄｉｎｇ）技法は必須的にサポートされるエンコーディング技法である反面、ＬＤＰＣ（Ｌｏｗ  Ｄｅｎｓｉｔｙ  Ｐａｒｉｔｙ  Ｃｈｅｃｋ）技法は選択的にサポートされる技法に該当するため、ＳＴＡは、ＢＣＣエンコーディングのみサポートすることもでき、ＢＣＣ及びＬＤＰＣエンコーディングの両方ともをサポートすることもできる。
【００４５】
ＡＰは、ＳＴＡにＰＰＤＵを送信する時、ＰＰＤＵを解釈（ｉｎｔｅｒｐｒｅｔ）するためのシグナル情報を含ませて送信する。ＰＰＤＵを解釈するための制御情報では、ＰＰＤＵの送信に使用したチャネル帯域幅、ＰＰＤＵの送信対象ＳＴＡ、またはＳＴＡグループを指示する情報、送信技法に関する情報、ＭＣＳ情報を含むことができる。ＡＰは、ＰＰＤＵの送信において、一つのＳＴＡにＳＵ−ＭＩＭＯ送信したり、或いは少なくとも一つ以上のＳＴＡにＭＵ−ＭＩＭＯ送信することができる。ＳＵ−ＭＩＭＯ送信する場合、ＰＰＤＵのシグナル情報に一つのエンコーディング方式を含ませて送信すると、ＳＴＡは該当ＰＰＤＵをデコーディングすることができる。反面、ＭＵ−ＭＩＭＯを送信する場合、ＳＴＡ毎にサポートすることができるエンコーディング方式が異なるため、各ＳＴＡ毎に個別的にエンコーディング方式を知らせる必要がある。従って、ＡＰは、送信方法によってＳＴＡ別にエンコーディング方式に対する情報を含ませてＰＰＤＵを送信し、ＳＴＡは、該当ＰＰＤＵを受信すると、これを解釈し、知らせられたエンコーディング方式に対応してデコーディングすることができるＭＩＭＯパケット送受信方法が要求される。
【００４６】
図３は、本発明の実施例に適用されることができるＰＰＤＵフォーマットを示す。
【００４７】
図３を参照すると、ＰＰＤＵ３００は、Ｌ−ＳＴＦ３１０、Ｌ−ＬＴＦ３２０、Ｌ−ＳＩＧフィールド３３０、ＶＨＴ−ＳＩＧＡフィールド３４０、ＶＨＴ−ＳＴＦ３５０、ＶＨＴ−ＬＴＦ３６０、ＶＨＴ−ＳＩＧＢフィールド３７０、及びデータフィールド３８０を含むことができる。
【００４８】
ＰＨＹを構成するＰＬＣＰ副階層は、ＭＡＣ階層から伝達を受けたＰＳＤＵに必要な情報を加えてデータフィールド３８０に変換し、Ｌ−ＳＴＦ３１０、Ｌ−ＬＴＦ３２０、Ｌ−ＳＩＧフィールド３３０、ＶＨＴ−ＳＩＧＡフィールド３４０、ＶＨＴ−ＳＴＦ３５０、ＶＨＴ−ＬＴＦ３６０、ＶＨＴ−ＳＩＧＢ３７０などのフィールドを加えてＰＰＤＵ３００を生成し、ＰＨＹを構成するＰＭＤ副階層を介して一つまたはその以上のＳＴＡに送信する。
【００４９】
Ｌ−ＳＴＦ３１０は、フレームタイミング獲得（ｆｒａｍｅ  ｔｉｍｉｎｇ  ａｃｑｕｉｓｉｔｉｏｎ）、ＡＧＣ（Ａｕｔｏｍａｔｉｃ  Ｇａｉｎ  Ｃｏｎｔｒｏｌ）コンバージェンス（ｃｏｎｖｅｒｇｅｎｃｅ）、粗い（ｃｏａｒｓｅ）周波数獲得などに使われる。
【００５０】
Ｌ−ＬＴＦ３２０は、Ｌ−ＳＩＧフィールド３３０及びＶＨＴ−ＳＩＧＡフィールド３４０の復調のためのチャネル推定に使用する。
【００５１】
Ｌ−ＳＩＧフィールド３３０は、Ｌ−ＳＴＡがＰＰＤＵ３００を受信し、これを解釈し、データの獲得に使われる。
【００５２】
ＶＨＴ−ＳＩＧＡフィールド３４０は、ＰＰＤＵを受信するＳＴＡに必要な共用制御情報と関連したフィールドであり、受信されたＰＰＤＵ３００を解釈するための制御情報（ｃｏｎｔｒｏｌ  ｉｎｆｏｒｍａｔｉｏｎ、またはシグナル情報（ｓｉｇｎａｌ  ｉｎｆｏｒｍａｔｉｏｎ））を含んでいる。ＶＨＴ−ＳＩＧＡフィールド３４０は、ＰＰＤＵ送信のために使われるチャネル帯域幅情報、ＳＵまたはＭＵ−ＭＩＭＯのうちＰＰＤＵが送信される方式を指示する情報、送信方法がＭＵ−ＭＩＭＯの場合にはＡＰとＭＵ−ＭＩＭＯペアリングされた複数のＳＴＡである送信対象ＳＴＡグループを指示する情報、前記送信対象ＳＴＡグループに含まれた各々のＳＴＡに割り当てられた空間ストリームに対する情報、ＳＴＢＣ（Ｓｐａｃｅ  Ｔｉｍｅ  Ｂｌｏｃｋ  Ｃｏｄｉｎｇ）を使用するかどうかと関連した識別情報、送信対象ＳＴＡの短いＧＩ（Ｇｕａｒｄ  Ｉｎｔｅｒｖａｌ）関連情報、及び送信者−受信者間チャネルに対するＭＣＳ（ｍｏｄｕｌａｔｉｏｎ  ｃｏｄｉｎｇ  ｓｃｈｅｍｅ）情報を含む。
【００５３】
ＭＩＭＯ送信方式を指示する情報及び送信対象ＳＴＡグループを指示する情報は、一つのＭＩＭＯ指示情報で具現されることができ、その一例としてグループＩＤで具現されることができる。グループＩＤは特定範囲を有する値に設定されることができ、範囲のうち特定値はＳＵ−ＭＩＭＯ送信技法を指示し、その以外の値はＭＵ−ＭＩＭＯ送信技法にＰＰＤＵ３００が送信される場合、該当送信対象ＳＴＡグループに対する識別子として使われることができる。
【００５４】
ＶＨＴ−ＳＴＦ３５０は、ＭＩＭＯ送信においてＡＧＣ推定の性能を改善するために使われる。
【００５５】
ＶＨＴ−ＬＴＦ３６０は、ＳＴＡのＭＩＭＯチャネルの推定に使われる。次世代無線ＬＡＮシステムはＭＵ−ＭＩＭＯをサポートするため、ＶＨＴ−ＬＴＦ３６０はＰＰＤＵ３００が送信される空間ストリームの個数ほど設定されることができる。追加的に、フルチャネルサウンディング（ｆｕｌｌ  ｃｈａｎｎｅｌ  ｓｏｕｎｄｉｎｇ）がサポートされ、これが実行される場合、ＶＨＴ  ＬＴＦの数はより多くなることができる。
【００５６】
ＶＨＴ−ＳＩＧＢフィールド３７０は、ＭＩＭＯペアリングされた複数のＳＴＡがＰＰＤＵ３００を受信してデータの獲得に必要な専用制御情報を含む。従って、ＶＨＴ−ＳＩＧＢフィールド３７０に含まれた共用制御情報が、現在受信されたＰＰＤＵ３００がＭＵ−ＭＩＭＯ送信されたものであると指示した場合にのみ、ＳＴＡはＶＨＴ−ＳＩＧＢフィールド３７０をデコーディング（ｄｅｃｏｄｉｎｇ）するように設計されることができる。反対に、共用制御情報が、現在受信されたＰＰＤＵ３００が単一ＳＴＡのためのもの（ＳＵ−ＭＩＭＯを含む）であることを意味する場合、ＳＴＡはＶＨＴ−ＳＩＧＢフィールド３７０をデコーディングしないように設計されることができる。
【００５７】
ＶＨＴ−ＳＩＧＢフィールド３７０は、各ＳＴＡの変調（ｍｏｄｕｌａｔｉｏｎ）、エンコーディング（ｅｎｃｏｄｉｎｇ）、及びレートマッチング（ｒａｔｅ−ｍａｔｃｈｉｎｇ）に対する情報を含む。ＶＨＴ−ＳＩＧＢフィールド３７０の大きさは、ＭＩＭＯ送信の類型（ＭＵ−ＭＩＭＯまたはＳＵ−ＭＩＭＯ）及びＰＰＤＵ送信のために使用するチャネル帯域幅によって異なる。
【００５８】
データフィールド３８０は、ＳＴＡに送信が意図されるデータを含む。データフィールド３８０は、ＭＡＣ階層でのＭＰＤＵ（ＭＡＣ  Ｐｒｏｔｏｃｏｌ  Ｄａｔａ  Ｕｎｉｔ）が伝達されたＰＳＤＵ（ＰＬＣＰ  Ｓｅｒｖｉｃｅ  Ｄａｔａ  Ｕｎｉｔ）とスクランブラを初期化するためのサービス（ｓｅｒｖｉｃｅ）フィールド、コンボリューション（ｃｏｎｖｏｌｕｔｉｏｎ）エンコーダをゼロ状態（ｚｅｒｏｓｔａｔｅ）に返すのに必要なビットシーケンスを含むテール（ｔａｉｌ）フィールド及びデータフィールドの長さを規格化するためのパディングビットを含む。
【００５９】
サポートすることができるエンコーディング方式と関連した能力値が異なるＳＴＡが存在する無線ＬＡＮシステムで、ＡＰは、送信対象ＳＴＡがＰＰＤＵ受信を介してデータを正常に獲得することができるように、ＰＰＤＵに適用されたエンコーディング方式に対してシグナリングする必要がある。ＳＵ−ＭＩＭＯ送信技法を介してＰＰＤＵを送信する場合、適用されたエンコーディング方式は、制御情報が含まれているＶＨＴ−ＳＩＧＡフィールドまたはＶＨＴ−ＳＩＧＢフィールドのいずれに含まれていても関係ない。ただし、複数のＳＴＡにＰＰＤＵを送信するＭＵ−ＭＩＭＯ送信技法において、ＡＰはＳＴＡの各々に対してエンコーディング方式に対する情報を提供する必要がある。このようなＰＰＤＵ送受信方法は、図４のように具現されることができる。
【００６０】
図４は、本発明の実施例に係るＰＰＤＵ送受信方法の一例を示す流れ図である。図１のような無線ＬＡＮシステムにおけるＳＴＡ１（２１）、ＳＴＡ２（２２）、ＳＴＡ３（２３）、ＳＴＡ４（２４）はＭＵ−ＭＩＭＯ送信対象ＳＴＡグループに含まれ、ＳＴＡ１（２１）、ＳＴＡ２（２２）はＢＣＣ／ＬＤＰＣエンコーディングをサポートし、ＳＴＡ３（２３）、ＳＴＡ４（２４）はＢＣＣエンコーディングのみをサポートするＳＴＡと仮定する。
【００６１】
図４を参照すると、ＡＰ１０は、図３のＰＰＤＵフォーマットにおいてプリアンブル及びＶＨＴ−ＳＩＧＡフィールドをＭＵ−ＭＩＭＯペアリングされたＳＴＡ２１、２２、２３、２４に送信する（図示せず）。次に、ＶＨＴ−ＳＩＧＢフィールド４１０を各々のＳＴＡ２１、２２、２３、２４に送信する（Ｓ４１０）。ＶＨＴ−ＳＩＧＢフィールド４１０は、ビーム形成されて送信されるため、ＶＨＴ−ＳＩＧＢフィールドの各々４１１、４１２、４１３、４１４は各々のＳＴＡ２１、２２、２３、２４に送信される。次に、ＡＰ１０はデータフィールド４２０を各々のＳＴＡ２１、２２、２３、２４に送信する（Ｓ４２０）。
【００６２】
ＡＰ１０は、ＭＵ−ＭＩＭＯ送信技法を使用してＰＰＤＵを送信する時、エンコーディング指示情報を含むコーディングサブフィールド４１０ａを含ませて送信することができる。この時、コーディングサブフィールド４１０ａは、ビットフィールドであり、ＢＣＣエンコーディングが適用された場合は‘０’に設定され、ＬＤＰＣエンコーディングが適用された場合は‘１’に設定されることができる。コーディングサブフィールド４１０ａが各ＳＴＡに対する専用制御情報を含むＶＨＴ−ＳＩＧＢフィールド４１０に含まれると、ＡＰ１０は、ＭＵ−ＭＩＭＯペアリングされた複数のＳＴＡの各々に対してエンコーディング情報をシグナリングすることができる。ただし、エンコーディング方式を指示する方法として、ビット値は反対に使われることもできる。
【００６３】
ＳＴＡ１（２１）及びＳＴＡ２（２２）は、自体に送信されたＶＨＴ−ＳＩＧＢフィールド４１１、４１２に含まれたコーディングサブフィールド４１１ａ、４１２ａの値が‘０’の場合、ＢＣＣエンコーディングに対応して自体に送信されたデータフィールド４２１、４２２をＢＣＣデコーディングしてデータを獲得し、‘１’の場合、ＬＤＰＣエンコーディングに対応してデータフィールド４２１、４２２をＬＤＰＣデコーディングしてデータを獲得することができる。ＳＴＡ３（２３）及びＳＴＡ４（２４）は、自体に送信されたＶＨＴ−ＳＩＧＢフィールド４１３、４１４に含まれたコーディングサブフィールド４１３ａ、４１４ａの値が‘０’の場合、ＢＣＣエンコーディングに対応して自体に送信されたデータフィールド４２３、４２４をＢＣＣデコーディングしてデータを獲得する。コーディングサブフィールド４１３ａ、４１４ａの値が‘１’の場合、これを無視してＢＣＣデコーディングするように設定されることができる。ただし、ＡＰ１０は、ＳＴＡとの結合過程を介して結合されたＳＴＡの能力値に関する情報を獲得することができるため、ＢＣＣエンコーディングをサポートするＳＴＡ２３、２４にはＢＣＣエンコーディングを指示し、ＬＤＰＣエンコーディングをサポートするＳＴＡ２１、２２にはＬＤＰＣエンコーディングを指示するようにコーディングサブフィールド値を設定することができる。
【００６４】
図４のような実施例によると、ＡＰ１０は、各ＳＴＡにエンコーディング方法を各々指示することができる。ただし、ＶＨＴ−ＳＩＧＢフィールド４１０を解釈してコーディングサブフィールド４１０ａの値を確認した後にデータフィールドをデコーディングすることができるため、遅延（ｌａｔｅｎｃｙ）問題が発生することができる。遅延問題の解決のために適用されたエンコーディング方式を指示するコーディングサブフィールドがＶＨＴ−ＳＩＧＡフィールドに含まれるＰＰＤＵ送信方法を提案することができる。
【００６５】
図５は、本発明の実施例に係るＭＵ−ＭＩＭＯ送信技法によるＰＰＤＵ送信方法を示す流れ図である。ＡＰはＭＵ−ＭＩＭＯペアリングされた複数のＳＴＡにＰＰＤＵを送信する。
【００６６】
図５を参照すると、ＡＰ１０は、ＳＴＡ１（２１）、ＳＴＡ２（２２）、ＳＴＡ３（２３）、及びＳＴＡ４（２４）にＶＨＴ−ＳＩＧＡフィールド５１０を送信する。ＶＨＴ−ＳＩＧＡフィールド５１０には、ＭＩＭＯ指示子としてグループＩＤが含まれたグループＩＤサブフィールド５１１、グループＩＤが指示するＳＴＡグループに含まれたＳＴＡに送信される空間ストリームの個数指示情報が含まれた空間ストリームサブフィールド５１２、データフィールド５３０に含まれているエンコーディングされたＰＳＤＵのエンコーディング方式を指示するコーディング（ｃｏｄｉｎｇ）サブフィールド５１３、及びＡＰ１０とＳＴＡとの間のチャネルのＭＣＳ（ｍｏｄｕｌａｔｉｏｎ  ａｎｄ  ｃｏｄｉｎｇ  ｓｃｈｅｍｅ）インデックス（ｉｎｄｅｘ）を指示したり、或いはＰＳＤＵのエンコーディング方式を指示するＭＣＳサブフィールド５１４が含まれる。
【００６７】
グループＩＤサブフィールド５１１は、ＳＴＡ１（２１）、ＳＴＡ２（２２）、ＳＴＡ３（２３）、及びＳＴＡ４（２４）を含むＳＴＡグループを指示する値に設定されることができる。この場合、グループＩＤは、ＡＰ１０の送信するＰＰＤＵがＭＵ−ＭＩＭＯ送信方式により送信されるＭＵ−ＭＩＭＯ  ＰＰＤＵに該当することを意味する。より詳しく、グループＩＤは０〜６３の値を有するように設定されることができる。この時、０と６３は、ＰＰＤＵがＳＵ−ＭＩＭＯ送信されることを指示する値である。１〜６２は、特定ＳＴＡグループを指示する値であり、この値は、ＰＰＤＵがＭＵ−ＭＩＭＯ送信されることを意味する。
【００６８】
空間ストリームサブフィールド５１２は、グループＩＤサブフィールド５１１にグループＩＤ値が指示するＳＴＡグループのＳＴＡの各々に割り当てられた空間ストリームの個数を指示する。空間ストリームサブフィールド５１２は一つのＳＴＡ当たり３ビットを割り当て、空間ストリームの個数を０個〜４個まで指示するように設定されることができる。空間ストリームの個数０の意味は、該当ＳＴＡには送信されるデータが無いことを意味する。
【００６９】
グループＩＤサブフィールド５１１がＭＵ−ＭＩＭＯに送信されることを指示する値に設定された場合、コーディングサブフィールド５１３及びＭＣＳサブフィールド５１４は、ＰＳＤＵのエンコーディング方式を指示する値に設定される。ＭＵ−ＭＩＭＯに送信されるＰＰＤＵは、複数のＳＴＡの各々に送信が意図されるデータフィールド５３１、５３２、５３３を含む。データフィールドの各々５３１、５３２、５３３に含まれた各々のコード化されたデータシーケンスは、適用されたエンコーディング方式が異なる。即ち、ＢＣＣエンコーディングのみをサポートするＳＴＡに送信されるデータシーケンスは、ＢＣＣエンコーディング方式によりコード化されるが、ＢＣＣ／ＬＤＰＣエンコーディング方式をサポートするＳＴＡに送信されるデータシーケンスは、ＬＤＰＣエンコーディング方式によりコード化されることができる。従って、ＡＰ１０は、各ＳＴＡへの送信が意図されるデータフィールドに含まれているコード化されたデータシーケンスのエンコーディング方式に関する情報を送信対象ＳＴＡの各々に送信する必要がある。このために、コーディングサブフィールド５１３は、ＳＴＡ１（２１）に送信されるデータフィールド５３１に適用されたエンコーディング方式を指示するように設定され、ＭＣＳサブフィールド５１４は、ＳＴＡ２（２２）、ＳＴＡ３（２３）、ＳＴＡ４（２４）に送信される各々のデータフィールド５３２、５３３に適用されたエンコーディング方式を指示するように設定されることができる。空間ストリームが割当されないＳＴＡ４（２４）に対しては、ＳＴＡ４（２４）がサポートするエンコーディング方式のうち任意の一つを指示するように設定されたり、或いはＬＤＰＣエンコーディングがサポートされる場合にはこれを指示するように設定されることができる。コーディングサブフィールド５１３及びＭＣＳサブフィールド５１４に含まれた値が‘０’の場合、ＢＣＣエンコーディングを指示し、‘１’の場合、ＬＤＰＣエンコーディングを指示するように設定されることができ、これはビットマップ（ｂｉｔｍａｐ）形式に各ＳＴＡに対するエンコーディング方式を指示することができることを意味する。
【００７０】
ＡＰ１０は、各ＳＴＡ２１、２２、２３に割り当てられた空間ストリームを介してＶＨＴ−ＳＩＧＢフィールド５２０を送信する（Ｓ５２０）。ＶＨＴ−ＳＩＧＢフィールド５２０には送信対象ＳＴＡに送信されるＰＳＤＵの長さを示す情報、及びＡＰ１０と各ＳＴＡ２１、２２、２３との間のチャネルに対するＭＣＳインデックス情報が含まれることができる。次に、ＡＰ１０は、各ＳＴＡ２１、２２、２３にデータフィールド５３１、５３２、５３３を送信する（Ｓ５３０）。ＶＨＴ−ＳＩＧＢフィールド５２０及びデータフィールド５３０は、ＭＵ−ＭＩＭＯ送信技法によってビーム形成されて送信される。
【００７１】
ＳＴＡ２１、２２、２３、２４は、ＡＰ１０から送信されたＶＨＴ−ＳＩＧＡフィールド５１０のグループＩＤサブフィールド５１１のグループＩＤを介して送信対象ＳＴＡであるかどうか及び送信されるＰＰＤＵがＭＵ−ＭＩＭＯ送信されるものであることを知ることができる。ＳＴＡ１（２１）、ＳＴＡ２（２２）、ＳＴＡ３（２３）は、空間ストリームサブフィールド５１２を介して自体に割り当てられた空間ストリームの個数を確認することができ、ＳＴＡ４（２４）は、空間ストリームの個数が０であるため、自体に送信されるデータの無いことを知ることができる。また、ＳＴＡ２１、２２、２３、２４は、ＰＰＤＵ送信以前にグループＩＤ管理フレームを受信して特定グループＩＤに属しているかどうか、及び特定グループＩＤに対して自体の空間ストリームセット位置情報を知ることができるため、ＰＰＤＵを受信し、自体に割り当てられた空間ストリームが何であるかを知ることができる。
【００７２】
ＳＴＡ１（２１）、ＳＴＡ２（２２）、及びＳＴＡ３（２３）は、ＰＰＤＵがＭＵ−ＭＩＭＯ送信されるため、コーディングサブフィールド５１３及びＭＣＳサブフィールド５１４をデータフィールドのエンコーディング方式を指示する情報と解釈する。従って、ＳＴＡ１（２１）は、コーディングサブフィールド５１３が指示するエンコーディング方式に対応して該当エンコーディング方式に対するデコーディング方式、及びＶＨＴ−ＳＩＧＢフィールド５２０に含まれたＭＣＳインデックス情報を使用して送信されたデータフィールド５３１をデコーディングしてデータを獲得することができる。ＳＴＡ２（２２）及びＳＴＡ３（２３）は、ＭＣＳサブフィールド５１４が指示するエンコーディング方式に対応して送信されたデータフィールド５３２、５３３をデコーディングしてデータを獲得することができる。
【００７３】
図５に示すＰＰＤＵ送受信方法において、ＶＨＴ−ＳＩＧＢフィールド５２０及びデータフィールド５３０はビーム形成されて空間ストリームを介して各ＳＴＡに送信される。従って、ＡＰ１０は、ＶＨＴ−ＳＩＧＡフィールド送信（Ｓ５１０）とＶＨＴ−ＳＩＧＢフィールド送信（Ｓ５２０）との間にＡＰ１０及びＭＵ−ＭＩＭＯペアリングされた複数のＳＴＡ２１、２２、２３、２４間チャネル推定のためのトレーニングシーケンス（ｔｒａｉｎｉｎｇ  ｓｅｑｕｅｎｃｅ）を含むＬＴＦ（ｌｏｎｇ  ｔｒａｉｎｉｎｇ  ｆｉｅｄ）を送信することができる。
【００７４】
一方、ＰＰＤＵがＳＵ−ＭＩＭＯに送信される場合、ＡＰは一つの受信ＳＴＡに一つのエンコーディング方式を知らせると十分である。以下、図６を参照してより詳しく説明する。
【００７５】
図６は、本発明の実施例に係るＳＵ−ＭＩＭＯ送信技法によるＰＰＤＵ送信方法を示す流れ図である。ＡＰは、特定ＳＴＡにＰＰＤＵを送信する。
【００７６】
図６を参照すると、ＡＰ１０は、ＳＴＡａ３０にＶＨＴ−ＳＩＧＡフィールド６１０を送信する（Ｓ６１０）。ＶＨＴ−ＳＩＧＡフィールド６１０には図５のように、グループＩＤサブフィールド６１１、空間ストリームサブフィールド６１２、コーディングサブフィールド６１３、及びＭＣＳサブフィールド６１４が含まれる。ただし、前記のようなサブフィールドに設定されたビット値またはビットシーケンス値は、ＰＰＤＵがＳＵ−ＭＩＭＯ送信される場合、図５の実施例とは異なるように解釈することができる。
【００７７】
グループＩＤサブフィールド６１１は、ＰＰＤＵがＳＵ−ＭＩＭＯ送信技法を介して送信されることを指示する値に設定することができる。その一例として、グループＩＤサブフィールド６１１は、０または６３値を指示するように設定されることができる。ＳＴＡａ３０は、ＶＨＴ−ＳＩＧＡフィールドに含まれたグループＩＤサブフィールド６１１値を解釈して送信されたＰＰＤＵがＳＵ−ＭＩＭＯ送信されたことを知ることができる。
【００７８】
空間ストリームサブフィールド６１２は、ＳＴＡａ３０にＰＰＤＵが送信されるために割り当てられた空間ストリームの個数を指示する。図５のようにＭＵ−ＭＩＭＯ送信の場合、複数のＳＴＡの各々に割り当てられた各々の空間ストリーム個数を示すように解釈することができる。反面、ＳＵ−ＭＩＭＯ送信の場合、送信対象ＳＴＡに割り当てられた空間ストリーム個数を示すように設定され、フィールドの残りのビットは、送信対象ＳＴＡの部分ＡＩＤ（ｐａｒｔｉａｌ  ＡＩＤ）を指示するように設定されることができる。部分ＡＩＤは、ＳＴＡａ３０がＡＰ１０と結合（ａｓｓｏｃｉａｔｉｏｎ）する時に割当を受ける識別情報であるＡＩＤの一部ビット列に設定されることができ、これは９ＬＳＢ（ｌｅａｓｔ  ｓｉｇｎｉｆｉｃａｎｔ  ｂｉｔｓ）または９ＭＳＢ（ｍｏｓｔ  ｓｉｇｎｉｆｉｃａｎｔ  ｂｉｔｓ）に設定されることができる。必要によって、ＡＩＤを用いて新たなビットシーケンスが部分ＡＩＤに設定されることもできる。
【００７９】
グループＩＤサブフィールド６１１がＳＵ−ＭＩＭＯに送信されることを指示する値に設定された場合、コーディングサブフィールド６１３は、ＰＳＤＵのエンコーディング方式を指示する値に設定される。ＳＵ−ＭＩＭＯ送信される場合、送信対象ＳＴＡは、１個のＳＴＡであるため、ＰＰＤＵ生成時に一つのエンコーディング方式が適用される。従って、ＡＰ１０は、ＢＣＣエンコーディングまたはＬＤＰＣエンコーディング方式を指示することができるようにコーディングサブフィールド６１３を設定する。
【００８０】
ＰＰＤＵがＳＵ−ＭＩＭＯ送信される場合、ＡＰ１０とＳＴＡａ３０との間のチャネルに対するＭＣＳインデックス情報は一つで十分である。従って、ＭＣＳインデックス情報は、ＶＨＴ−ＳＩＧＢフィールド６２０でないＶＨＴ−ＳＩＧＡフィールド６１０のＭＣＳサブフィールド６１４に含まれて送信される。
【００８１】
ＡＰ１０は、ＳＴＡａ３０にＶＨＴ−ＳＩＧＢフィールド６２０を送信し（Ｓ６２０）、データフィールドを送信する（Ｓ６３０）。ＶＨＴ−ＳＩＧＢフィールドにはＳＴＡａ３０に送信されるデータフィールドに含まれたＰＳＤＵの長さを指示する情報が含まれることができる。
【００８２】
ＳＴＡａ３０は、ＡＰ１０から送信されたＶＨＴ−ＳＩＧＡフィールド６１０のグループＩＤサブフィールド６１１に設定された値を介してＰＰＤＵは、ＭＵ−ＭＩＭＯでないＳＵ−ＭＩＭＯ送信されることを知ることができる。この時、ＳＴＡａ３０は、空間ストリームサブフィールド６１２は、複数のＳＴＡの各々に割り当てられた空間ストリームの個数情報でない自体に割り当てられた空間ストリームの個数情報と部分ＡＩＤを指示する情報が含まれていることを知ることができ、これによってビットシーケンスを解釈することができる。
【００８３】
ＳＴＡａ３０は、コーディングサブフィールド６１３からデータフィールドに適用されたエンコーディング方式、ＭＣＳサブフィールド６１４からＭＣＳインデックス情報を使用し、データフィールドをデコーディング及び復調（ｄｅｍｏｄｕｌａｔｉｏｎ）してデータを獲得することができる。
【００８４】
図５及び図６のように、ＰＰＤＵの受信ＳＴＡまたは複数の受信ＳＴＡは、ＶＨＴ−ＳＩＧＡフィールド５１０または６１０のグループＩＤを介して送信技法がＭＵ−ＭＩＭＯまたはＳＵ−ＭＩＭＯであるかを確認することができ、以後、サブフィールドに設定された値を異なるように解釈してデータを獲得することができる。
【００８５】
下記表２は、本発明の実施例に適用されるＶＨＴ−ＳＩＧＡフィールドに含まれた情報を示すＶＨＴ−ＳＩＧＡフィールドフォーマットの一例を示す。ＶＨＴ−ＳＩＧＡフィールドは、ＶＨＴ−ＳＩＧＡ１フィールド及びＶＨＴ−ＳＩＧＡ２フィールドに分けられ、ＶＨＴ−ＳＩＧＡ１フィールド及びＶＨＴ−ＳＩＧＡ２フィールドは、各々のＯＦＤＭシンボルを介して送信されることができる。下記表２は、本発明の実施例に適用されることができる図３のＰＰＤＵフォーマットに含まれたＶＨＴ−ＳＩＧＡフィールドの一例に該当することができる。
【００８６】
【表２−１】
0005400972.tif 000003
【表２−２】
0005400972.tif 000004
【００８７】
適用されたエンコーディング方式を指示するコーディングサブフィールドがＶＨＴ−ＳＩＧＡフィールドに含まれる図５及び図６のようなＰＰＤＵ送受信方法の以外に、ＶＨＴ−ＳＩＧＡフィールドにエンコーディング方式を指示するビットサブフィールドを含むことができる。ＶＨＴ−ＳＩＧＡフィールドには１ビット大きさのコーディングサブフィールドが含まれ、‘０’の場合はＢＣＣエンコーディングを指示し、‘１’の場合はＬＤＰＣエンコーディングを指示するように設定されることができる。
【００８８】
ＡＰは、ＭＵ−ＭＩＭＯペアリングされたＳＴＡの全てがＢＣＣエンコーディングをサポートする場合、ＡＰは、ＰＰＤＵの送信時に、ＶＨＴ−ＳＩＧＡフィールドのコーディングサブフィールド値を‘０’に設定して送信することができる。この時、送信されるデータフィールドの各々のＰＳＤＵはＢＣＣエンコーディングされて送信される。ＭＵ−ＭＩＭＯペアリングされたＳＴＡの全てがＢＣＣ及びＬＤＰＣエンコーディングをサポートする場合、ＡＰは、ＰＰＤＵの送信時に、ＶＨＴ−ＳＩＧＡフィールドのコーディングサブフィールド値を‘１’に設定して送信することができる。この時、送信されるデータフィールドの各々のＰＳＤＵはＬＤＰＣエンコーディングされて送信される。
【００８９】
ＭＵ−ＭＩＭＯペアリングされたＳＴＡのうち一部はＢＣＣエンコーディングをサポートし、一部はＢＣＣ／ＬＤＰＣエンコーディングをサポートする場合、ＡＰは、ＰＰＤＵの送信時に、ＶＨＴ−ＳＩＧＡフィールドのコーディングサブフィールド値を‘１’に設定して送信することができる。ただし、ＡＰは、送信対象ＳＴＡがサポートすることができるエンコーディング方式に対応してデータフィールドのＰＳＤＵを該当エンコーディング方式によってエンコーディングして送信する。この時、ＢＣＣ／ＬＤＰＣエンコーディングの両方ともをサポートするＳＴＡは、ＬＤＰＣエンコーディングに対応してデータフィールドをデコーディングすることができる。ただし、ＢＣＣエンコーディングのみをサポートするＳＴＡは、コーディングサブフィールドの値を無視し、ＢＣＣエンコーディングに対応してデータフィールドをデコーディングすることができる。
【００９０】
図面を参照して説明した前記ＰＰＤＵ送信方法の実施例によると、ＡＰは、互いに異なるエンコーディング方式をサポートするＳＴＡに対して各々異なるエンコーディング方式が適用されたＰＰＤＵをＭＵ−ＭＩＭＯ送信技法を介して送信することができ、ＭＵ−ＭＩＭＯペアリングされたＳＴＡも適当なデコーディング方式を確認してデコーディングし、データを獲得することができる。
【００９１】
図７は、本発明の実施例が適用されることができる無線装置を示すブロック図である。無線装置はＡＰまたはＳＴＡである。
【００９２】
無線装置７００は、プロセッサ７１０、メモリ７２０、及びトランシーバ（ｔｒａｎｓｃｅｉｖｅｒ）７３０を含む。トランシーバ７３０は、無線信号を送信／受信し、ＩＥＥＥ８０２．１１の物理階層が具現される。プロセッサ７１０は、トランシーバ７３０と機能的に連結され、ＩＥＥＥ８０２．１１のＭＡＣ階層及び物理階層を具現する。プロセッサ７１０は、本発明が提案するＰＰＤＵフォーマットを生成し、これを送信するように設定されることができ、また、送信されたＰＰＤＵを受信し、含まれたフィールド値を解釈して制御情報を獲得し、これを用いてデータを獲得することができるように設定されることができる。プロセッサは、図２及び図６を参照して前述した本発明の実施例を具現するように設定されることができる。
【００９３】
プロセッサ７１０及び／またはトランシーバ７３０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ７２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。実施例がソフトウェアで具現される時、前述した技法は前述した機能を遂行するモジュール（過程、機能など）で具現されることができる。モジュールは、メモリ７２０に格納され、プロセッサ７１０により実行されることができる。メモリ７２０は、プロセッサ７１０の内部または外部にあり、よく知られた多様な手段でプロセッサ７１０と連結されることができる。
【００９４】
以上、詳細に説明した本発明の実施例は、単に本発明の技術思想を示すための例示に過ぎず、前記実施例により本発明の技術思想が限定されると解釈されてはならない。本発明の保護範囲は、本発明の特許請求の範囲により特定される。
【図１】
0005400972.tif 000005
【図２】
0005400972.tif 000006
【図３】
0005400972.tif 000007
【図４】
0005400972.tif 000008
【図５】
0005400972.tif 000009
【図６】
0005400972.tif 000010
【図７】
0005400972.tif 000011